(57)【要約】【課題】印鑑照合の時間を短縮することができる印鑑照合装置および印鑑照合システムを提供すること。【解決手段】印鑑照合端末装置１２０、複数の印鑑照合端末装置のうちの代表である代表印鑑照合端末装置および印鑑照合コントローラのいずれか１つは、顧客を識別する口座情報とこの口座情報に使用された印鑑の印鑑イメージである端末照合用印鑑イメージとを保持する端末照合データ保持部１２７と、照合をしようとする口座情報及び印鑑イメージが読み取られたときに、この読み取られた口座情報及び印鑑イメージと端末照合データ保持部１２７に保持された前記口座情報とこの口座情報の前記端末照合用印鑑イメージとを照合する端末データ照合手段と、を具備する。【選択図】図２
2008242892.tif 000002
【特許請求の範囲】
【請求項１】
顧客を識別する顧客情報と当該顧客情報に使用された印鑑の印鑑イメージである端末照合用印鑑イメージとを保持する端末照合データ保持部と、
照合をしようとする顧客情報および印鑑イメージが読み取られたときに、当該読み取られた顧客情報および印鑑イメージと、前記端末照合データ保持部に保持された前記顧客情報および前記端末照合用印鑑イメージとを照合する端末データ照合手段と、
を具備することを特徴とする印鑑照合装置。
【請求項２】
印鑑照合端末装置と印鑑照合サーバとがネットワークによって接続される印鑑照合システムであって、
前記印鑑照合装置は、顧客を識別する顧客情報と当該顧客情報に使用された印鑑の印鑑イメージである端末照合用印鑑イメージとを保持する端末照合データ保持部と、
照合をしようとする顧客情報および印鑑イメージが読み取られたときに、当該読み取られた顧客情報および印鑑イメージと前記端末照合データ保持部に保持された前記顧客情報と当該顧客情報の前記端末照合用印鑑イメージとを照合する端末データ照合手段と、
前記端末データ照合手段による照合の照合率がしきい値未満であるときに、印鑑照合サーバから前記読み取られた顧客情報のサーバ照合用印鑑イメージを取得するサーバデータ照合手段と、
を具備することを特徴とする印鑑照合システム。
【請求項３】
顧客を識別する顧客情報と当該顧客情報に使用された印鑑の印鑑イメージである端末照合用印鑑イメージとを保持する端末照合データ保持部と、
照合をしようとする顧客情報および印鑑イメージが読み取られたときに、当該読み取られた顧客情報および印鑑イメージと前記端末照合データ保持部に保持された前記顧客情報と当該顧客情報の前記端末照合用印鑑イメージとを照合する端末データ照合手段と、
前記読み取られた顧客情報の前記端末照合用印鑑イメージが前記端末照合データ保持部に保持されていないときに、前記サーバから前記読み取られた顧客情報の前記サーバ照合用印鑑イメージを取得して当該サーバ照合用印鑑イメージと前記読み取られた顧客情報の印鑑イメージとを照合するサーバデータ照合手段と、
を具備することを特徴とする印鑑照合システム。
【請求項４】
照合をしようとする顧客情報および印鑑イメージを入力する入力手段と、
最後に照合した顧客情報と当該顧客情報に使用された印鑑の印鑑イメージである端末照合用印鑑イメージを保持する端末照合データ保持部と、
前記入力手段により入力された顧客情報の前記端末照合用印鑑イメージが前記端末照合データ保持部に保持されているか否かを判断する端末データ保持判断手段と、
前記読み取られた顧客情報の前記端末照合用印鑑イメージが前記端末照合データ保持部に保持されているときに、前記読み取られた顧客情報の印鑑イメージと前記端末照合用印鑑イメージとを照合する端末データ照合手段と、
を具備することを特徴とする印鑑照合装置。
【請求項５】
顧客を識別する複数の顧客情報および当該複数の顧客情報の各々に使用される印鑑の印鑑イメージであるサーバ照合用印鑑イメージを格納しているサーバと、当該サーバとの間で情報の送受信を行って印鑑の照合を行う印鑑照合端末装置とを具備する印鑑照合システムであって、
前記印鑑照合端末装置は、
照合をしようとする顧客情報および印鑑イメージを入力する入力手段と、
最後に照合した顧客情報と当該顧客情報に使用された印鑑の印鑑イメージである端末照合用印鑑イメージを保持する端末照合データ保持部と、
前記入力手段により入力された顧客情報の前記端末照合用印鑑イメージが前記端末照合データ保持部に保持されているか否かを判断する端末データ保持判断手段と、
前記読み取られた顧客情報の前記端末照合用印鑑イメージが前記端末照合データ保持部に保持されていないときに、前記サーバから前記読み取られた顧客情報の前記サーバ照合用印鑑イメージを取得して当該サーバ照合用印鑑イメージと前記読み取られた顧客情報の印鑑イメージとを照合するサーバデータ照合手段と、
前記サーバデータ照合手段の照合による前記読み取られた顧客情報の印鑑イメージと前記サーバ照合用印鑑イメージとの照合率がしきい値以上であるときに、当該読み取られた顧客情報および印鑑イメージを前記端末照合データ保持部に登録するデータ登録手段と、
を具備することを特徴とする印鑑照合システム。
【請求項６】
前記端末データ照合手段または前記サーバデータ照合手段による照合の結果を表示する照合結果表示手段を具備することを特徴とする請求項５に記載の印鑑照合システム。
【請求項７】
顧客を識別する複数の顧客情報および当該複数の顧客情報の各々に使用される印鑑のイメージであるサーバ照合用印鑑イメージを格納しているサーバと、当該サーバとの間で情報の送受信を行って印鑑の照合を行う印鑑照合端末装置とを具備する印鑑照合システムであって、
前記印鑑照合端末装置は、
照合をしようとする顧客情報および印鑑イメージを入力する入力手段と、
複数の顧客情報および当該複数の顧客情報の各々に使用される印鑑の印鑑イメージである端末照合用印鑑イメージを保持する端末照合データ保持部と、
前記入力手段により入力された顧客情報の前記端末照合用印鑑イメージが前記端末照合データ保持部に保持されているか否かを判断する端末データ保持判断手段と、
前記読み取られた顧客情報の前記端末照合用印鑑イメージが前記端末照合データ保持部に保持されているときに、前記読み取られた顧客情報の印鑑イメージと前記端末照合用印鑑イメージとを照合する端末データ照合手段と、
前記読み取られた顧客情報の前記端末照合用印鑑イメージが前記端末照合データ保持部に保持されていないときに、前記サーバから前記読み取られた顧客情報の前記サーバ照合用印鑑イメージを取得して当該サーバ照合用印鑑イメージと前記読み取られた顧客情報の印鑑イメージとを照合する第１のサーバデータ照合手段と、
前記端末データ照合手段の照合による前記読み取られた顧客情報の印鑑イメージと前記端末照合用印鑑イメージとの照合率がしきい値未満であるときに、前記サーバから前記読み取られた顧客情報の前記サーバ照合用印鑑イメージを取得して当該サーバ照合用印鑑イメージと前記読み取られた顧客情報の印鑑イメージとを照合する第２のサーバデータ照合手段と、
前記第１または第２のサーバデータ照合手段の照合による前記読み取られた顧客情報の印鑑イメージと前記サーバ照合用印鑑イメージとの照合率がしきい値以上であるときに、当該読み取られた顧客情報および印鑑イメージを前記端末照合データ保持部に登録するデータ登録手段と、
前記端末データ照合手段、前記第１のサーバデータ照合手段または前記第２のサーバデータ照合手段による照合の結果を表示する照合結果表示手段と、
を具備することを特徴とする印鑑照合システム。
【請求項８】
顧客を識別する複数の顧客情報および当該複数の顧客情報の各々に使用される印鑑のイメージであるサーバ照合用印鑑イメージを格納しているサーバと、当該サーバとの間で情報の送受信を行って印鑑の照合を行う印鑑照合コントローラと、当該印鑑照合コントローラとの間で情報の送受信を行う複数の印鑑照合端末装置とを具備する印鑑照合システムであって、
前記複数の印鑑照合端末装置に各々は、
照合をしようとする顧客情報および印鑑イメージを入力する入力手段と、
前記入力手段により入力された顧客情報および印鑑イメージを前記印鑑照合コントローラに送信するデータ送信手段と、
前記印鑑照合コントローラによる照合の結果を受けて表示する照合の結果を受けて表示手段と、
を具備し、
前記印鑑照合コントローラは、
複数の顧客情報および当該複数の顧客情報の各々に使用される印鑑の印鑑イメージである端末照合用印鑑イメージを保持する端末照合データ保持部と、
前記複数の印鑑照合端末装置の各々から前記顧客情報および印鑑イメージを受けたときに、当該読み取られた顧客情報の前記端末照合用印鑑イメージが前記端末照合データ保持部に保持されているか否かを判断するデータ保持判断手段と、
前記読み取られた顧客情報の前記端末照合用印鑑イメージが前記端末照合データ保持部に保持されているときに、前記読み取られた顧客情報の印鑑イメージと前記端末照合用印鑑イメージとを照合するコントローラデータ照合手段と、
前記読み取られた顧客情報の前記端末照合用印鑑イメージが前記コントローラ照合データ保持部に保持されていないときに、前記サーバから前記読み取られた顧客情報の前記サーバ照合用印鑑イメージを取得して当該サーバ照合用印鑑イメージと前記読み取られた顧客情報の印鑑イメージとを照合する第１のサーバデータ照合手段と、
前記コントローラデータ照合手段の照合による前記読み取られた顧客情報の印鑑イメージと前記端末照合用印鑑イメージとの照合率がしきい値未満であるときに、前記サーバから前記読み取られた顧客情報の前記サーバ照合用印鑑イメージを取得して当該サーバ照合用印鑑イメージと前記読み取られた顧客情報の印鑑イメージとを照合する第２のサーバデータ照合手段と、
前記第１のサーバデータ照合手段または第２のサーバデータ照合手段の照合による前記読み取られた顧客情報の印鑑イメージと前記サーバ照合用印鑑イメージとの照合率がしきい値以上であるときに、当該読み取られた顧客情報および前記サーバ照合用印鑑イメージを前記端末照合データ保持部に登録するデータ登録手段と、
前記コントローラデータ照合手段、前記第１のサーバデータ照合手段または第２のサーバデータ照合手段による照合の結果を前記複数の印鑑照合端末装置のいずれかに報告する報告手段と、
を具備することを特徴とする印鑑照合システム。
【発明の詳細な説明】
【技術分野】
【０００１】
本発明は、例えば、金融機関や保険会社等に登録されている顧客の印鑑の印鑑イメージと営業店で顧客が取引等のために使用する印鑑の印鑑イメージとを照合する印鑑照合装置および印鑑照合システムに関するものである。
【背景技術】
【０００２】
従来の印鑑照合システムとしては、例えば、特許文献１に記載されているものがある。この従来の印鑑照合システムは、登録された印鑑の陰影を管理する陰影サーバと、伝票等の書類に押印された印鑑の画像を読み取る画像読取部を有し、前記伝票により顧客との取引を行う窓口端末装置とを備えた印鑑照合システムにおいて、前記伝票に顧客との取引の種別を表す伝票コードを予め印刷しておき、この窓口端末装置が、前記伝票の画像から顧客の口座情報（顧客情報）を読み取り、前記伝票コードにより印鑑照合の要否を判定し、印鑑照合が必要と判定したときに、印鑑照合前の入力処理中に前記口座情報を基に前記陰影サーバから顧客の登録された印鑑の陰影を予め取得しておくように構成されている。
【０００３】
【特許文献１】特開２００５−７８３５８号公報
【発明の開示】
【発明が解決しようとする課題】
【０００４】
しかしながら、上述した従来の印鑑照合システムにおいては、同じ口座情報の取引が実施される場合であっても、その都度照合用の印影を陰影サーバから取得しているため、印鑑照合に時間が掛かってしまうという問題があった。
【０００５】
また、上述した従来の印鑑照合システムにおいては、印影データ（印影イメージ）が画像データであるために大容量であるから、通信ネットワークの混雑時等には多くの通信時間を要し、窓口での印鑑照合の取引時間が増加するという問題があった。
【０００６】
本発明の目的は、印鑑照合の時間を短縮することができる印鑑照合装置および印鑑照合システムを提供することにある。
【課題を解決するための手段】
【０００７】
本発明の請求項１の印鑑照合装置は、顧客を識別する顧客情報と当該顧客情報に使用された印鑑の印鑑イメージである端末照合用印鑑イメージとを保持する端末照合データ保持部と、照合をしようとする顧客情報および印鑑イメージが読み取られたときに、当該読み取られた顧客情報および印鑑イメージと、前記端末照合データ保持部に保持された前記顧客情報および前記端末照合用印鑑イメージとを照合する端末データ照合手段と、を具備することを特徴とする。
ここで、顧客情報とは、例えば、金融機関や保険会社等に登録してある顧客名、顧客の住所、顧客の電話番号、口座番号、識別番号、暗証番号、指紋等の顧客を識別することができるものである。
【０００８】
本発明の請求項１によれば、顧客を識別する顧客情報（口座情報）および読み取られた印鑑イメージと、端末照合データ保持部に保持された顧客情報と、この顧客情報の端末照合用印鑑イメージとを照合するために、端末照合データ保持部に保持された顧客情報とこの顧客情報の端末照合用印鑑イメージと照合するときには、照合用の印鑑イメージを事務センター等に設置されたサーバから取得する必要がない。その結果、印鑑照合の時間を短縮することができる。
【０００９】
本発明の請求項２の印鑑照合システムは、印鑑照合端末装置と印鑑照合サーバとがネットワークによって接続される印鑑照合システムであって、前記印鑑照合装置は、顧客を識別する顧客情報と当該顧客情報に使用された印鑑の印鑑イメージである端末照合用印鑑イメージとを保持する端末照合データ保持部と、照合をしようとする顧客情報および印鑑イメージが読み取られたときに、当該読み取られた顧客情報および印鑑イメージと前記端末照合データ保持部に保持された前記顧客情報と当該顧客情報の前記端末照合用印鑑イメージとを照合する端末データ照合手段と、前記端末データ照合手段による照合の照合率がしきい値未満であるときに、印鑑照合サーバから前記読み取られた顧客情報のサーバ照合用印鑑イメージを取得するサーバデータ照合手段と、を具備することを特徴とする。
【００１０】
本発明の請求項２によれば、顧客を識別する顧客情報および読み取られた印鑑イメージと、端末照合データ保持部に保持された顧客情報と、この顧客情報の端末照合用印鑑イメージと、を照合するために、端末照合データ保持部に保持された顧客情報とこの顧客情報の端末照合用印鑑イメージと照合するときには、照合用の印鑑イメージを事務センター等に設置されたサーバから取得する必要がない。その結果、印鑑照合の時間を短縮することができる。
【００１１】
本発明の請求項３の印鑑照合システムは、顧客を識別する顧客情報と当該顧客情報に使用された印鑑の印鑑イメージである端末照合用印鑑イメージとを保持する端末照合データ保持部と、照合をしようとする顧客情報および印鑑イメージが読み取られたときに、当該読み取られた顧客情報および印鑑イメージと前記端末照合データ保持部に保持された前記顧客情報と当該顧客情報の前記端末照合用印鑑イメージとを照合する端末データ照合手段と、前記読み取られた顧客情報の前記端末照合用印鑑イメージが前記端末照合データ保持部に保持されていないときに、前記サーバから前記読み取られた顧客情報の前記サーバ照合用印鑑イメージを取得して当該サーバ照合用印鑑イメージと前記読み取られた顧客情報の印鑑イメージとを照合するサーバデータ照合手段と、を具備することを特徴とする。
【００１２】
本発明の請求項３によれば、顧客を識別する顧客情報および読み取られた印鑑イメージと、端末照合データ保持部に保持された顧客情報と、この顧客情報の端末照合用印鑑イメージとを照合するために、端末照合データ保持部に保持された顧客情報とこの顧客情報の端末照合用印鑑イメージと照合するときには、照合用の印鑑イメージを事務センター等に設置されたサーバから取得する必要がない。その結果、印鑑照合の時間を短縮することができる。
【００１３】
本発明の請求項４の印鑑照合装置は、照合をしようとする顧客情報および印鑑イメージを入力する入力手段と、最後に照合した顧客情報と当該顧客情報に使用された印鑑の印鑑イメージである端末照合用印鑑イメージを保持する端末照合データ保持部と、前記入力手段により入力された顧客情報の前記端末照合用印鑑イメージが前記端末照合データ保持部に保持されているか否かを判断する端末データ保持判断手段と、前記読み取られた顧客情報の前記端末照合用印鑑イメージが前記端末照合データ保持部に保持されているときに、前記読み取られた顧客情報の印鑑イメージと前記端末照合用印鑑イメージとを照合する端末データ照合手段と、を具備することを特徴とする。
【００１４】
本発明の請求項４によれば、顧客を識別する顧客情報および読み取られた印鑑イメージと、端末照合データ保持部に保持された顧客情報と、この顧客情報の端末照合用印鑑イメージと、を照合するために、端末照合データ保持部に保持された顧客情報とこの顧客情報の端末照合用印鑑イメージと照合するときには、照合用の印鑑イメージを事務センター等に設置されたサーバから取得する必要がない。その結果、印鑑照合の時間を短縮することができる。
【００１５】
本発明の請求項５の印鑑照合システムは、顧客を識別する複数の顧客情報および当該複数の顧客情報の各々に使用される印鑑の印鑑イメージであるサーバ照合用印鑑イメージを格納しているサーバと、当該サーバとの間で情報の送受信を行って印鑑の照合を行う印鑑照合端末装置とを具備する印鑑照合システムであって、前記印鑑照合端末装置は、照合をしようとする顧客情報および印鑑イメージを入力する入力手段と、最後に照合した顧客情報と当該顧客情報に使用された印鑑の印鑑イメージである端末照合用印鑑イメージを保持する端末照合データ保持部と、前記入力手段により入力された顧客情報の前記端末照合用印鑑イメージが前記端末照合データ保持部に保持されているか否かを判断する端末データ保持判断手段と、前記読み取られた顧客情報の前記端末照合用印鑑イメージが前記端末照合データ保持部に保持されていないときに、前記サーバから前記読み取られた顧客情報の前記サーバ照合用印鑑イメージを取得して当該サーバ照合用印鑑イメージと前記読み取られた顧客情報の印鑑イメージとを照合するサーバデータ照合手段と、前記サーバデータ照合手段の照合による前記読み取られた顧客情報の印鑑イメージと前記サーバ照合用印鑑イメージとの照合率がしきい値以上であるときに、当該読み取られた顧客情報および印鑑イメージを前記端末照合データ保持部に登録するデータ登録手段と、を具備することを特徴とする。
【００１６】
本発明の請求項５によれば、顧客を識別する顧客情報および読み取られた印鑑イメージと、端末照合データ保持部に保持された顧客情報と、この顧客情報の端末照合用印鑑イメージと、を照合するために、端末照合データ保持部に保持された顧客情報とこの顧客情報の端末照合用印鑑イメージと照合するときには、照合用の印鑑イメージを事務センター等に設置されたサーバから取得する必要がない。その結果、印鑑照合の時間を短縮することができる。
【００１７】
本発明の請求項６の印鑑照合システムは、請求項５に記載の印鑑照合システムであって、前記端末データ照合手段または前記サーバデータ照合手段による照合の結果を表示する照合結果表示手段を具備することを特徴とする。
【００１８】
本発明の請求項６によれば、顧客を識別する顧客情報および読み取られた印鑑イメージと、端末照合データ保持部に保持された顧客情報と、この顧客情報の端末照合用印鑑イメージと、を照合するために、端末照合データ保持部に保持された顧客情報と、この顧客情報の端末照合用印鑑イメージと照合するときには、照合用の印鑑イメージを事務センター等に設置されサーバから取得する必要がない。その結果、印鑑照合の時間を短縮することができる。
【００１９】
本発明の請求項７の印鑑照合システムは、顧客を識別する複数の顧客情報および当該複数の顧客情報の各々に使用される印鑑のイメージであるサーバ照合用印鑑イメージを格納しているサーバと、当該サーバとの間で情報の送受信を行って印鑑の照合を行う印鑑照合端末装置とを具備する印鑑照合システムであって、前記印鑑照合端末装置は、照合をしようとする顧客情報および印鑑イメージを入力する入力手段と、複数の顧客情報および当該複数の顧客情報の各々に使用される印鑑の印鑑イメージである端末照合用印鑑イメージを保持する端末照合データ保持部と、前記入力手段により入力された顧客情報の前記端末照合用印鑑イメージが前記端末照合データ保持部に保持されているか否かを判断する端末データ保持判断手段と、前記読み取られた顧客情報の前記端末照合用印鑑イメージが前記端末照合データ保持部に保持されているときに、前記読み取られた顧客情報の印鑑イメージと前記端末照合用印鑑イメージとを照合する端末データ照合手段と、前記読み取られた顧客情報の前記端末照合用印鑑イメージが前記端末照合データ保持部に保持されていないときに、前記サーバから前記読み取られた顧客情報の前記サーバ照合用印鑑イメージを取得して当該サーバ照合用印鑑イメージと前記読み取られた顧客情報の印鑑イメージとを照合する第１のサーバデータ照合手段と、前記端末データ照合手段の照合による前記読み取られた顧客情報の印鑑イメージと前記端末照合用印鑑イメージとの照合率がしきい値未満であるときに、前記サーバから前記読み取られた顧客情報の前記サーバ照合用印鑑イメージを取得して当該サーバ照合用印鑑イメージと前記読み取られた顧客情報の印鑑イメージとを照合する第２のサーバデータ照合手段と、前記第１または第２のサーバデータ照合手段の照合による前記読み取られた顧客情報の印鑑イメージと前記サーバ照合用印鑑イメージとの照合率がしきい値以上であるときに、当該読み取られた顧客情報および印鑑イメージを前記端末照合データ保持部に登録するデータ登録手段と、前記端末データ照合手段、前記第１のサーバデータ照合手段または前記第２のサーバデータ照合手段による照合の結果を表示する照合結果表示手段と、を具備することを特徴とする。
【００２０】
本発明の請求項７によれば、顧客を識別する顧客情報および読み取られた印鑑イメージと、端末照合データ保持部に保持された顧客情報と、この顧客情報の端末照合用印鑑イメージと、を照合するために、端末照合データ保持部に保持された顧客情報とこの顧客情報の端末照合用印鑑イメージと照合するときには、照合用の印鑑イメージを事務センター等に設置されたサーバから取得する必要がない。その結果、印鑑照合の時間を短縮することができる。
【００２１】
本発明の請求項８の印鑑照合システムは、顧客を識別する複数の顧客情報および当該複数の顧客情報の各々に使用される印鑑のイメージであるサーバ照合用印鑑イメージを格納しているサーバと、当該サーバとの間で情報の送受信を行って印鑑の照合を行う印鑑照合コントローラと、当該印鑑照合コントローラとの間で情報の送受信を行う複数の印鑑照合端末装置とを具備する印鑑照合システムであって、前記複数の印鑑照合端末装置に各々は、照合をしようとする顧客情報および印鑑イメージを入力する入力手段と、前記入力手段により入力された顧客情報および印鑑イメージを前記印鑑照合コントローラに送信するデータ送信手段と、前記印鑑照合コントローラによる照合の結果を受けて表示する照合の結果を受けて表示手段と、を具備し、前記印鑑照合コントローラは、複数の顧客情報および当該複数の顧客情報の各々に使用される印鑑の印鑑イメージである端末照合用印鑑イメージを保持する端末照合データ保持部と、前記複数の印鑑照合端末装置の各々から前記顧客情報および印鑑イメージを受けたときに、当該読み取られた顧客情報の前記端末照合用印鑑イメージが前記端末照合データ保持部に保持されているか否かを判断するデータ保持判断手段と、前記読み取られた顧客情報の前記端末照合用印鑑イメージが前記端末照合データ保持部に保持されているときに、前記読み取られた顧客情報の印鑑イメージと前記端末照合用印鑑イメージとを照合するコントローラデータ照合手段と、前記読み取られた顧客情報の前記端末照合用印鑑イメージが前記コントローラ照合データ保持部に保持されていないときに、前記サーバから前記読み取られた顧客情報の前記サーバ照合用印鑑イメージを取得して当該サーバ照合用印鑑イメージと前記読み取られた顧客情報の印鑑イメージとを照合する第１のサーバデータ照合手段と、前記コントローラデータ照合手段の照合による前記読み取られた顧客情報の印鑑イメージと前記端末照合用印鑑イメージとの照合率がしきい値未満であるときに、前記サーバから前記読み取られた顧客情報の前記サーバ照合用印鑑イメージを取得して当該サーバ照合用印鑑イメージと前記読み取られた顧客情報の印鑑イメージとを照合する第２のサーバデータ照合手段と、前記第１のサーバデータ照合手段または第２のサーバデータ照合手段の照合による前記読み取られた顧客情報の印鑑イメージと前記サーバ照合用印鑑イメージとの照合率がしきい値以上であるときに、当該読み取られた顧客情報および前記サーバ照合用印鑑イメージを前記端末照合データ保持部に登録するデータ登録手段と、前記コントローラデータ照合手段、前記第１のサーバデータ照合手段または第２のサーバデータ照合手段による照合の結果を前記複数の印鑑照合端末装置のいずれかに報告する報告手段と、を具備することを特徴とする。
【００２２】
本発明の請求項８によれば、顧客を識別する顧客情報および読み取られた印鑑イメージと、端末照合データ保持部に保持された顧客情報と、この顧客情報の端末照合用印鑑イメージと、を照合するために、端末照合データ保持部に保持された顧客情報とこの顧客情報の端末照合用印鑑イメージと照合するときには、照合用の印鑑イメージを事務センター等に設置されたサーバから取得する必要がない。その結果、印鑑照合の時間を短縮することができる。
【発明の効果】
【００２３】
本発明に係る印鑑照合装置および印鑑照合システムによれば、照合用の印鑑イメージを事務センター等に設置されたサーバから取得する処理を省略可能となるため、印鑑照合の時間を短縮することができる。
【発明を実施するための最良の形態】
【００２４】
次に、本発明の実施の形態に係る印鑑照合装置および印鑑照合システムについて、図１〜図３を参照して詳細に説明する。
以下、本発明の実施の形態として、金融機関における顧客を識別する顧客情報を口座情報とし、その顧客の印鑑の印鑑イメージと、営業店で顧客が取引等のために使用する印鑑の印鑑イメージとを照合する場合を例に挙げて説明する。
【００２５】
（実施の形態１）
図１は、本発明の実施の形態１に係る印鑑照合装置および印鑑照合システムの構成を示すブロック図である。図２は、本発明の実施の形態１に係る印鑑照合システムの印鑑照合端末装置の構成を示すブロック図である。
【００２６】
図１に示すように、本発明の実施の形態１に係る印鑑照合システム１００は、サーバ１１０とこのサーバ１１０に接続されている印鑑照合端末装置１２０を具備している。サーバ１１０は、サーバ印鑑照合データベース１１１を具備している。サーバ印鑑照合データベース１１１は、顧客を識別する複数の口座情報（顧客情報）およびこの複数の口座情報の各々に使用される印鑑の印鑑イメージであるサーバ照合用印鑑イメージを格納している。前記口座情報（顧客情報）とは、顧客の口座の支店番号、科目および口座番号等からなる顧客識別情報である。サーバ１１０は、管理センター等に配置される。
【００２７】
印鑑照合端末装置１２０は、サーバ１１０との間で情報の送受信を行って印鑑の照合を行うものである。印鑑照合端末装置１２０は、本店や各営業店等に配置される。図２に示すように、印鑑照合端末装置１２０は、主制御部１２１、記憶部１２２、表示部１２３、入力部１２４、印刷部１２５、読取部１２６および端末照合データ保持部１２７を具備している。
なお、本発明において、印鑑照合は機械的に実行されるものとして説明するが、窓口担当者の目視により行うものであってもよい。
【００２８】
主制御部１２１は、サーバ１１０に接続されており、また、記憶部１２２、表示部１２３、入力部１２４、印刷部１２５、読取部１２６および端末照合データ保持部１２７に接続されている。主制御部１２１は、印鑑照合端末装置１２０の各部を制御して印鑑照合を実行し、また、データ通信等も制御する。
【００２９】
記憶部１２２には、主制御部１２１が実行するプログラムおよび主制御部１２１による処理結果等が格納されている。また、記憶部１２２は、サーバ１１０および読取部１２６から送られてくる口座情報およびこの口座情報の印鑑イメージを一時的に記憶するデータ記憶部１２２１を有している。
【００３０】
表示部１２３は、ＣＲＴおよびＬＣＤ等を有しており、業務選択画面および窓口担当者の処置を促す画面等を表示する。入力部１２４は、キーボードおよびマウスキー等からなる。入力部１２４は、窓口担当者により操作されて所定の操作信号を主制御部１２１に入力する。この入力部１２４のキーボードには、通常のテンキーおよびアルファベットキー等の他に、伝票等の画像の読取を指示するための読取キー、入力内容等の確定を指示するための確定キー、印鑑の照合を指示するための印鑑照合キー、および、データの送信を指示するための送信キー等の指示キーが設けられている。
【００３１】
印刷部１２５は、窓口担当者が使用する伝票等を印刷し、また、顧客の通帳に取引内容等を記帳する機能を有している。読取部１２６は、例えば、光学式画像読取装置で構成されている。読取部１２６は、顧客が記入し押印をした伝票の全面画像を読み取る機能を有している。
【００３２】
端末照合データ保持部１２７は、主制御部１２１の制御により読取部１２６からの口座情報および印鑑イメージを受けて保持するものである。端末照合データ保持部１２７は、最後に照合した口座情報とこの口座情報に使用された印鑑の印鑑イメージである端末照合用印鑑イメージを保持するものである。
【００３３】
次に、本発明の実施の形態１に係る印鑑照合装置および印鑑照合システムの動作について、図１〜図３を参照して説明する。
図３は、本発明の実施の形態１に係る印鑑照合装置および印鑑照合システムの動作を示すフローチャートである。
【００３４】
図３に示すように、ステップＳＴ１０１において取引内容が決定されて、印鑑照合が開始される（ステップＳＴ１０２）。次に、ステップＳＴ１０３において、主制御部１２１は、取引の口座情報で印鑑イメージの保持チェックを行う。すなわち、主制御部１２１は、伝票等の書類から照合をしようとする口座情報および印鑑イメージを読み取った読取部１２６からのこの口座情報に基づいて端末照合データ保持部１２７のデータを検索して、この口座情報の端末照合用印鑑イメージが保持されているか否かをチェックする。
【００３５】
次に、ステップＳＴ１０４において、主制御部１２１は、読取部１２６からの口座情報の端末照合用印鑑イメージが保持されているか否かを判断する。ステップＳＴ１０４において、読取部１２６からの口座情報の端末照合用印鑑イメージが保持されているときに、主制御部１２１は、印鑑の照合を実施する（ステップＳＴ１０５）。
【００３６】
次に、ステップＳＴ１０６において、主制御部１２１は、読取部１２６からの口座情報の印鑑イメージと、この口座情報の端末照合データ保持部１２７の端末照合用印鑑イメージとの照合率（一致率）が予め設定したしきい値以上であるかを判断する。
【００３７】
一方、前記ステップＳＴ１０４において読取部１２６からの口座情報の端末照合用印鑑イメージが保持されていないときに、ステップＳＴ１０７において、主制御部１２１は、サーバ１１０から前記読み取られた口座情報のサーバ照合用印鑑イメージを取得して、このサーバ照合用印鑑イメージと前記読み取られた口座情報の印鑑イメージとの印鑑照合を実施する（ステップＳＴ１０５）。次に、主制御部１２１は、サーバ１１０からのこの口座情報の印鑑イメージと前記サーバ照合用印鑑イメージとの照合率（一致率）が予め設定したしきい値以上であるかを判断する（ステップＳＴ１０６）。
【００３８】
ステップＳＴ１０６において照合率がしきい値以上であるときに、主制御部１２１は、照合結果である一致の表示をし（ステップＳＴ１０８）、前記読み取られた口座情報および一致した印鑑イメージを端末照合データ保持部１２７に登録（上書）して（ステップＳＴ１０９）、取引を終了する。また、ステップＳＴ１０６において照合率がしきい値未満であるときに、主制御部１２１は、照合結果である不一致の表示をして（ステップＳＴ１１０）、取引を終了する。
【００３９】
（実施の形態２）
次に、本発明の実施の形態２に係る印鑑照合装置および印鑑照合システムについて、図４〜図６を参照して詳細に説明する。
図４は、本発明の実施の形態２に係る印鑑照合システムの構成を示すブロック図である。図５は、本発明の実施の形態２に係る印鑑照合システムの印鑑照合端末装置の構成を示すブロック図である。本発明の実施の形態２において、本発明の実施の形態１と同じ構成要素には、同じ参照符号を付してその説明を省略する。
【００４０】
図４および図５に示すように、本発明の実施の形態２に係る印鑑照合システム２００は、サーバ１１０とこのサーバ１１０に接続されている印鑑照合端末装置２１０を具備している。印鑑照合端末装置２１０は、本発明の実施の形態１において、主制御部１２１および端末照合データ保持部１２７の代わりに主制御部２１１および端末照合データ保持部２１２を具備するものである。
【００４１】
端末照合データ保持部２１２は、複数の口座情報およびこの複数の口座情報の各々に使用される印鑑の印鑑イメージである端末照合用印鑑イメージを保持している。前記複数の端末照合用印鑑イメージは、例えば、過去に照合した口座情報の印鑑イメージまたは使用頻度が高い口座情報の印鑑イメージである。
【００４２】
次に、本発明の実施の形態２に係る印鑑照合装置および印鑑照合システムの動作について、図４〜図６を参照して説明する。
図６は、本発明の実施の形態２に係る印鑑照合システムの動作を示すフローチャートである。
【００４３】
図６に示すように、ステップＳＴ２０１において取引内容が決定されて、印鑑照合が開始される（ステップＳＴ２０２）。次に、ステップＳＴ２０３において、主制御部２１１は、取引の口座情報で印鑑イメージの保持チェックを行う。すなわち、主制御部２１１は、伝票等の書類から照合をしようとする口座情報および印鑑イメージを読み取った読取部１２６からのこの口座情報に基づいて端末照合データ保持部２１２のデータを検索して、この口座情報の端末照合用印鑑イメージが保持されているか否かをチェックする。
【００４４】
次に、ステップＳＴ２０４において、主制御部２１１は、読取部１２６からの口座情報の端末照合用印鑑イメージが保持されているか否かを判断する。ステップＳＴ２０４において、読取部１２６からの口座情報の端末照合用印鑑イメージが保持されているときに、主制御部２１１は、印鑑の照合を実施する（ステップＳＴ２０５）。
【００４５】
次に、ステップＳＴ２０６において、主制御部２１１は、読取部１２６からの口座情報の印鑑イメージとこの口座情報の端末照合データ保持部２１２の端末照合用印鑑イメージとの照合率（一致率）がしきい値以上であるかを判断する。
【００４６】
一方、前記ステップＳＴ２０４において読取部１２６からの口座情報の端末照合用印鑑イメージが保持されていないときに、ステップＳＴ２０７において、主制御部２１１は、サーバ１１０から前記読み取られた口座情報のサーバ照合用印鑑イメージを取得して、このサーバ照合用印鑑イメージと前記読み取られた口座情報の印鑑イメージとの印鑑照合を実施する（ステップＳＴ２０５）。次に、主制御部２１１は、サーバ１１０からのこの口座情報の印鑑イメージと前記サーバ照合用印鑑イメージとの照合率（一致率）が予め設定したしきい値以上であるかを判断する（ステップＳＴ２０６）。
【００４７】
ステップＳＴ２０６において照合率がしきい値以上であるときに、主制御部２１１は、照合結果である一致の表示をし（ステップＳＴ２０８）、前記読み取られた口座情報および一致した印鑑イメージを端末照合データ保持部２１２に登録（上書）して（ステップＳＴ２０９）、取引を終了する。また、ステップＳＴ２０６において、照合率がしきい値未満であるときに、主制御部２１１は、照合結果である不一致の表示をして（ステップＳＴ２１０）、取引を終了する。
【００４８】
（実施の形態３）
次に、本発明の実施の形態３に係る印鑑照合装置および印鑑照合システムについて、図７〜図９を参照して詳細に説明する。
図７は、本発明の実施の形態３に係る印鑑照合システムの構成を示すブロック図である。図８は、本発明の実施の形態３に係る印鑑照合システムの印鑑照合端末装置の構成を示すブロック図である。本発明の実施の形態３においては、前記実施の形態１、２と同じ構成要素には同じ参照符号を付してその説明を省略する。
【００４９】
図７および図８に示すように、本発明の実施の形態２に係る印鑑照合システム３００は、サーバ１１０とこのサーバ１１０に接続されている印鑑照合端末装置３１０を具備している。印鑑照合端末装置３１０は、本発明の実施の形態２において、主制御部２１１および端末照合データ保持部２１２の代わりに主制御部３１１および端末照合データ保持部３１２を具備するものである。
【００５０】
端末照合データ保持部２１２は、複数の口座情報およびこの複数の口座情報の各々に使用される印鑑の印鑑イメージである端末照合用印鑑イメージを保持している。前記複数の端末照合用印鑑イメージは、例えば、顧客が正規のものとして現在金融機関に登録してある印鑑の印鑑イメージ、過去に照合した口座情報の印鑑イメージ、あるいは使用頻度が高い口座情報の印鑑イメージである。
【００５１】
次に、本発明の実施の形態３に係る印鑑照合装置および印鑑照合システムの動作について、図７および図８と共に図９を参照して説明する。
図９は、本発明の実施の形態３に係る印鑑照合システム３００の動作を説明するためのフローチャートである。
【００５２】
図９に示すように、ステップＳＴ３０１において取引内容が決定されて、印鑑照合が開始される（ステップＳＴ３０２）。次に、ステップＳＴ３０３において、主制御部３１１は、取引の口座情報で印鑑イメージの保持チェックを行う。すなわち、主制御部３１１は、伝票等から照合をしようとする口座情報および印鑑イメージを読み取った読取部１２６からのこの口座情報に基づいて端末照合データ保持部３１２のデータを検索して、この口座情報の端末照合用印鑑イメージが保持されているか否かをチェックする。
【００５３】
次に、ステップＳＴ３０４において、主制御部３１１は、読取部１２６からの口座情報の端末照合用印鑑イメージが保持されているか否かを判断する。ステップＳＴ３０４において、読取部１２６からの口座情報の端末照合用印鑑イメージが保持されているときに、主制御部３１１は、印鑑の照合を実施する（ステップＳＴ３０５）。
【００５４】
次に、ステップＳＴ３０６において、主制御部３１１は、読取部１２６からの口座情報の印鑑イメージとこの口座情報の端末照合データ保持部３１２の端末照合用印鑑イメージとの照合率（一致率）がしきい値以上であるかを判断する。
【００５５】
一方、前記ステップＳＴ３０４において読取部１２６からの口座情報の端末照合用印鑑イメージが保持されていないときに、ステップＳＴ３０７において、主制御部３１１は、サーバ１１０から前記読み取られた口座情報のサーバ照合用印鑑イメージを取得して、このサーバ照合用印鑑イメージと前記読み取られた口座情報の印鑑イメージとの印鑑照合を実施する（ステップＳＴ３０５）。次に、主制御部３１１は、サーバ１１０からのこの口座情報の印鑑イメージと前記サーバ照合用印鑑イメージとの照合率（一致率）がしきい値以上であるかを判断する（ステップＳＴ３０６）。
【００５６】
ステップＳＴ３０６において照合率がしきい値以上であるときに、主制御部３１１は、照合結果である一致の表示をし（ステップＳＴ３０８）、前記読み取られた口座情報および一致した印鑑イメージを端末照合データ保持部３１２に登録（上書）して（ステップＳＴ３０９）、取引を終了する。
【００５７】
また、ステップＳＴ３０６において照合率がしきい値未満であるときに、主制御部３１１は、改印されている場合を想定して、サーバ１１０から前記読み取られた口座情報のサーバ照合用印鑑イメージを取得する（ステップＳＴ３１０）。次に、主制御部３１１は、このサーバ照合用印鑑イメージと前記読み取られた口座情報の印鑑イメージとの印鑑照合を実施して、この口座情報のサーバ照合用印鑑イメージと前記印鑑イメージとの照合率（一致率）がしきい値以上であるかを判断する（ステップＳＴ３１１）。
【００５８】
ステップＳＴ３１１において照合率がしきい値以上であるときに、主制御部３１１は、照合結果である一致の表示をし（ステップＳＴ３０８）、前記読み取られた口座情報および一致した印鑑イメージを端末照合データ保持部３１２に登録（上書）して（ステップＳＴ３０９）、取引を終了する。また、ステップＳＴ３１１において照合率がしきい値未満であるときに、主制御部３１１は、照合結果である不一致の表示をし（ステップＳＴ３１２）、取引を終了する。
【００５９】
なお、本発明の実施の形態３に係る印鑑照合システム３００は、図９のステップＳＴ３０７において主制御部３１１がサーバ１１０から前記読み取られた口座情報のサーバ照合用印鑑イメージを取得した後に、ステップＳＴ３０５に行かずに、ステップＳＴ３１１に行くようにしてもよい。
【００６０】
（実施の形態４）
次に、本発明の実施の形態４に係る印鑑照合装置および印鑑照合システムについて、図１０〜図１３を参照して詳細に説明する。
図１０は、本発明の実施の形態４に係る印鑑照合システムの構成を示すブロック図である。図１１は、本発明の実施の形態４に係る印鑑照合システムの印鑑照合コントローラの構成を示すブロック図である。図１２は、本発明の実施の形態４に係る印鑑照合システムの印鑑照合端末装置の構成を示すブロック図である。本発明の実施の形態４においては、前記実施の形態１、２、３と同じ構成要素には同じ参照符号を付してその説明を省略する。
【００６１】
図１０に示すように、本発明の実施の形態４に係る印鑑照合システム４００は、サーバ１１０、印鑑照合コントローラ４１０および印鑑照合端末装置４２０を具備している。印鑑照合コントローラ４１０は、サーバ１１０に接続されている。印鑑照合端末装置４２０は、印鑑照合コントローラ４１０に接続されている。印鑑照合コントローラ４１０は、サーバ１１０との間で情報の送受信を行って印鑑の照合を行うものである。
【００６２】
図１１に示すように、印鑑照合コントローラ４１０は、主制御部１２１、記憶部１２２、表示部１２３、入力部１２４および端末照合データ保持部３１２を具備している。すなわち、印鑑照合コントローラ４１０は、図１の印鑑照合端末装置１２０において、主制御部１２１および端末照合データ保持部１２７の代わりに主制御部３１１および端末照合データ保持部３１２を具備し、かつ、印刷部１２５および読取部１２６を削除してなるものである。印鑑照合コントローラ４１０の主制御部１２１は、サーバ１１０および印鑑照合端末装置４２０に接続されている。
【００６３】
図１２に示すように、印鑑照合端末装置４２０は、主制御部１２１、表示部１２３、入力部１２４、印刷部１２５および読取部１２６を具備している。すなわち、印鑑照合端末装置４２０は、図１の印鑑照合端末装置１２０において記憶部１２２および端末照合データ保持部１２７を削除してなるものである。
【００６４】
印鑑照合端末装置４２０は、照合をしようとする口座情報および印鑑イメージを読み取る読取機能と、読み取られた口座情報および印鑑イメージを印鑑照合コントローラ４１０に送信するデータ送信機能を具備している。また、印鑑照合端末装置４２０は、印鑑照合コントローラ４１０による照合の結果を受けて表示する照合の結果を受けて表示機能を具備している。
【００６５】
次に、本発明の実施の形態４に係る印鑑照合装置および印鑑照合システムの動作について、図１０〜図１３を参照して説明する。
図１３は、本発明の実施の形態４に係る印鑑照合システム４００の動作を示すフローチャートである。
【００６６】
図１３に示すように、ステップＳＴ４０１において取引内容が決定されて、印鑑照合が開始される（ステップＳＴ４０２）。次に、ステップＳＴ４０３において、主制御部３１１は、取引の口座情報で印鑑イメージの保持のチェックを行う。すなわち、主制御部３１１は、伝票等から照合をしようとする口座情報および印鑑イメージを読み取った読取部１２６からのこの口座情報に基づいて端末照合データ保持部３１２のデータを検索して、この口座情報の端末照合用印鑑イメージが保持されているか否かをチェックする。
【００６７】
次に、ステップＳＴ４０４において、主制御部３１１は、読取部１２６からの口座情報の端末照合用印鑑イメージが保持されているか否かを判断する。ステップＳＴ４０４において、読取部１２６からの口座情報の端末照合用印鑑イメージが保持されているときに、主制御部３１１は、印鑑の照合を実施する（ステップＳＴ４０５）。
【００６８】
次に、ステップＳＴ４０６において、主制御部３１１は、読取部１２６からの口座情報の印鑑イメージとこの口座情報の端末照合データ保持部３１２の端末照合用印鑑イメージとの照合率（一致率）がしきい値以上であるか否かを判断する。
【００６９】
一方、前記ステップＳＴ４０４において、読取部１２６からの口座情報の端末照合用印鑑イメージが保持されていないときに、ステップＳＴ４０７において、主制御部３１１は、サーバ１１０から前記読み取られた口座情報のサーバ照合用印鑑イメージを取得して、このサーバ照合用印鑑イメージと前記読み取られた口座情報の印鑑イメージとの印鑑照合を実施する（ステップＳＴ４０５）。次に、主制御部３１１は、サーバ１１０からのこの口座情報の印鑑イメージと前記サーバ照合用印鑑イメージとの照合率（一致率）がしきい値以上であるかを判断する（ステップＳＴ４０６）。
【００７０】
ステップＳＴ４０６において、照合率がしきい値以上であるときに、主制御部３１１は、照合結果である一致の表示をし（ステップＳＴ４０８）、前記読み取られた口座情報および一致した印鑑イメージを端末照合データ保持部３１２に登録（上書）して（ステップＳＴ４０９）、取引を終了する。
【００７１】
また、ステップＳＴ４０６において、照合率がしきい値未満であるときに、主制御部３１１は、改印されている場合を想定して、サーバ１１０から前記読み取られた口座情報のサーバ照合用印鑑イメージを取得する（ステップＳＴ４１０）。次に、主制御部３１１は、このサーバ照合用印鑑イメージと前記読み取られた口座情報の印鑑イメージとの印鑑照合を実施して、この口座情報のサーバ照合用印鑑イメージと前記印鑑イメージとの照合率（一致率）がしきい値以上であるかを判断する（ステップＳＴ４１１）。
【００７２】
ステップＳＴ４１１において、照合率がしきい値以上であるときに、主制御部３１１は、照合結果である一致の表示をし（ステップＳＴ４０８）、前記読み取られた口座情報および一致した印鑑イメージを端末照合データ保持部３１２に登録（上書）して（ステップＳＴ４０９）、取引を終了する。また、ステップＳＴ４１１において照合率がしきい値未満であるときに、主制御部３１１は、照合結果である不一致の表示をし（ステップＳＴ４１２）、取引を終了する。
【００７３】
なお、本発明の実施の形態３に係る印鑑照合システム４００は、図１３のステップＳＴ４０７において、主制御部３１１がサーバ１１０から前記読み取られた口座情報のサーバ照合用印鑑イメージを取得した後に、ステップＳＴ４０５に行かずに、ステップＳＴ４１１に行くようにしてもよい。
【００７４】
本発明の実施の形態４に係る印鑑照合システム４００においては、図１３のステップＳＴ４０１、ＳＴ４０８およびＳＴ４１２は印鑑照合端末装置４２０のより実行され、これ以外のステップは印鑑照合端コントローラ４１０により実行される。図１３のステップＳＴ４０８およびＳＴ４１２においては、印鑑照合端コントローラ４１０は照合の結果（一致または不一致）を印鑑照合端末装置４２０に報告し、この印鑑照合端末装置４２０は照合の結果を受けて表示する。
【００７５】
なお、本発明の実施の形態に係る印鑑照合装置および印鑑照合システムは、本発明の実施の形態４に係る印鑑照合システム４００において、印鑑照合コントローラ４１０の代わりに代表印鑑照合端末装置を具備し、この代表印鑑照合端末装置が前記実施の形態１、２、３と同じ構成を有するようにしてもよい。
【産業上の利用可能性】
【００７６】
本発明は、印鑑照合の時間を短縮することができる効果を有し、印鑑照合装置および印鑑照合システムに有用である。
【図面の簡単な説明】
【００７７】
【図１】本発明の実施の形態１に係る印鑑照合システムの構成を示すブロック図である。
【図２】本発明の実施の形態１に係る印鑑照合システムの印鑑照合端末装置の構成を示すブロック図である。
【図３】本発明の実施の形態１に係る印鑑照合システムの動作を示すフローチャートである。
【図４】本発明の実施の形態２に係る印鑑照合システムの構成を示すブロック図である。
【図５】本発明の実施の形態２に係る印鑑照合システムの印鑑照合端末装置の構成を示すブロック図である。
【図６】本発明の実施の形態２に係る印鑑照合システムの動作を示すフローチャートである。
【図７】本発明の実施の形態３に係る印鑑照合システムの構成を示すブロック図である。
【図８】本発明の実施の形態３に係る印鑑照合システムの印鑑照合端末装置の構成を示すブロック図である。
【図９】本発明の実施の形態３に係る印鑑照合システムの動作を示すフローチャートである。
【図１０】本発明の実施の形態４に係る印鑑照合システムの構成を示すブロック図である。
【図１１】本発明の実施の形態４に係る印鑑照合システムの印鑑照合コントローラの構成を示すブロック図である。
【図１２】本発明の実施の形態４に係る印鑑照合システムの印鑑照合端末装置の構成を示すブロック図である。
【図１３】本発明の実施の形態４に係る印鑑照合システムの動作を示すフローチャートである。
【符号の説明】
【００７８】
１００，２００，３００，４００  印鑑照合システム
１１０  サーバ
１１１  サーバ印鑑照合データベース
１２０，２１０，３１０，４２０  印鑑照合端末装置（印鑑照合装置）
１２１，２１１，３１１  主制御部
１２２  記憶部
１２３  表示部
１２４  入力部（入力手段）
１２５  印刷部
１２６  読取部（入力手段）
１２７，２１２，３１２  端末照合データ保持部
４１０  印鑑照合コントローラ
【図１】
2008242892.tif 000003
【図２】
2008242892.tif 000004
【図３】
2008242892.tif 000005
【図４】
2008242892.tif 000006
【図５】
2008242892.tif 000007
【図６】
2008242892.tif 000008
【図７】
2008242892.tif 000009
【図８】
2008242892.tif 000010
【図９】
2008242892.tif 000011
【図１０】
2008242892.tif 000012
【図１１】
2008242892.tif 000013
【図１２】
2008242892.tif 000014
【図１３】
2008242892.tif 000015